(57)【特許請求の範囲】
【請求項１】
穀粒タンクに接続された縦送り搬送部及び前記縦送り搬送部の終端に連結された横送り搬送部を有する穀粒搬送部において、前記横送り搬送部の搬送終端側に設けられ、
前記横送り搬送部の搬送軸芯上に合わせ面が設定された左右一対の分割単位体を、前記合わせ面同士を接合することによって、穀粒が通過する流路部と、前記流路部の終端の吐出口と、前記流路部に対して前記横送り搬送部の搬送方向下手側に位置すると共に、前記吐出口周辺を照らす照明器具を内装する空間と、が一体的に構成され、
前記分割単位体のそれぞれは、前記合わせ面を境にして面対称となる端縁部分と、互いに接合された状態において前記空間の上方に位置する内面箇所に設けられ、前記流路部と前記空間とを仕切る仕切部材が取り付けられる取付部と、が備えられている穀粒搬出装置における吐出口構成部材。
【請求項２】
一対の分割単位体同士を所定の合わせ面で接合することによって構成される穀粒搬出装置における吐出口構成部材を製造する方法であって、
前記一対の分割単位体となる部分を有する中間製造物を、前記一対の分割単位体となる部分の合わせ面部分が一平面上に位置するように、かつ、前記一対の分割単位体となる部分が切断予定箇所を挟んだ両側の別々の箇所に振り分けられるように、一つの部材を成型加工することによって製造し、
その中間製造物を各分割単位体となる部分の境界となる前記切断予定箇所で切断することにより一対の分割単位体を構成し、
切断された分割単位体を前記合わせ面で接合することにより吐出口構成部材を構成するようにしたことを特徴とする穀粒搬出装置における吐出口構成部材の製造方法。
【請求項３】
下向きに開放された吐出口を有した箱状の吐出口構成部材における分割単位体の合わせ面が、上下方向に沿って吐出口を分断する箇所に形成されるように、中間製造物の切断予定箇所を吐出口形成箇所と交差する方向に形成してある請求項２記載の穀粒搬出装置における吐出口構成部材の製造方法。
【請求項４】
各分割単位体の合わせ面には、その合わせ面同士の遠近方向で重複する嵌合部を、中間製造物の切断予定箇所の両側に振り分けて形成してある請求項２又は３記載の穀粒搬出装置における吐出口構成部材の製造方法。
【発明の詳細な説明】
【技術分野】
【０００１】
本発明は、搬送用筒体の内部に搬送用スクリューを内装した穀粒搬送部を備え、その穀粒搬送部の搬送終端側に吐出口を備えたコンバインで用いられる穀粒搬出装置の吐出口構成部材、及びその製造方法に関する。
【背景技術】
【０００２】
このような穀粒搬送部の終端側に吐出口を備えた穀粒搬出装置における吐出口構成部材としては、搬送用筒体の終端側に、複数枚の板金材料を折り曲げたり溶接加工して構成した吐出口構成部材を設けていた（特許文献１参照）。
【先行技術文献】
【特許文献】
【０００３】
【特許文献１】特開２０００−２３５５４号公報（段落〔００２５〕、図４、図５、図６）
【発明の概要】
【発明が解決しようとする課題】
【０００４】
一般に穀粒搬送部の搬送終端側に設けられる吐出口構成部材は、その箇所での穀粒搬送の必要はなく穀粒の移動方向を下向きに変更して、下端側の吐出口から放出できるようにした構造であればよい。そして、この吐出口構成部材は、穀粒を吐出させる吐出口周辺に、照明装置やシャッター駆動装置を設けるなど、各種の備品が取り付けられる傾向があって、吐出口構成部材の形状は比較的複雑な形状になりやすいので、板金での製作加工が煩雑になるものであった。
【０００５】
本発明の目的は、複雑な形状の吐出口構成部材であっても、簡単な製作加工で構成することのできる穀粒搬出装置における吐出口構成部材、及びその製造方法を提供することにある。
【課題を解決するための手段】
【０００６】
上記目的を達成するために講じた本発明における穀粒搬出装置の吐出口構成部材は、次の点に構成上の特徴、及び作用効果がある。
〔解決手段１〕
本発明は、穀粒タンクに接続された縦送り搬送部及び前記縦送り搬送部の終端に連結された横送り搬送部を有する穀粒搬送部において、前記横送り搬送部の搬送終端側に設けられ、
前記横送り搬送部の搬送軸芯上に合わせ面が設定された左右一対の分割単位体を、前記合わせ面同士を接合することによって、穀粒が通過する流路部と、前記流路部の終端の吐出口と、前記流路部に対して前記横送り搬送部の搬送方向下手側に位置すると共に、前記吐出口周辺を照らす照明器具を内装する空間と、が一体的に構成され、
前記分割単位体のそれぞれは、前記合わせ面を境にして面対称となる端縁部分と、互いに接合された状態において前記空間の上方に位置する内面箇所に設けられ、前記流路部と前記空間とを仕切る仕切部材が取り付けられる取付部と、が備えられている点に特徴がある。
【０００７】
〔解決手段１にかかる発明の作用及び効果〕
上記解決手段１で示した本発明の構成によると、組み合わせ状態で内部に穀粒の通路を形成するために空洞となっている吐出口構成部材を、単一の部材によって構成するのではなく、一対の分割単位体に備えた合わせ面同士を組み合わせることによって構成しているので、吐出口構成部材の分割単位体としては、内部に空洞を備えるような加工し難い複雑な形状ではなく、板材の曲げ加工で形成可能な程度の比較的単純な形状とすることができる。したがって、プレス成型する金型も小型で比較的単純な金型でよいので加工工数の削減を図り得る。
【０００８】
そして、分割単位体のそれぞれは、前記合わせ面を境にして面対称となる端縁部分を備えたものであるから、その端縁部分同士を突き合わせると、夫々の合わせ面が同一平面上に位置する状態とすることができる。
つまり、このように各分割単位体の夫々の合わせ面が同一平面上に位置する状態で、夫々の分割単位体が備える端縁部分を突き合わせ状態にできるということは、この突き合わせ状態の端縁部分を一連に接続した状態で、前記端縁部分の両側に各分割単位体が位置する状態とすることが可能である。
【０００９】
上記目的を達成するために講じた本発明における穀粒搬出装置の吐出口構成部材の製造方法は、次の点に構成上の特徴、及び作用効果がある。
〔解決手段２〕
本発明は、一対の分割単位体同士を所定の合わせ面で接合することによって構成される穀粒搬出装置の吐出口構成部材を製造する方法であって、
前記一対の分割単位体となる部分を有する中間製造物を、前記一対の分割単位体となる部分の合わせ面部分が一平面上に位置するように、かつ、前記一対の分割単位体となる部分が切断予定箇所を挟んだ両側の別々の箇所に振り分けられるように、一つの部材を成型加工することによって製造し、
その中間製造物を各分割単位体となる部分の境界となる前記切断予定箇所で切断することにより一対の分割単位体を構成し、
切断された分割単位体を前記合わせ面で接合することにより吐出口構成部材を構成するようにしたことを特徴とする。                                                                            
【００１０】
〔解決手段２にかかる発明の作用及び効果〕
上記解決手段２で示した本発明の構成によると、一対の分割単位体となる部分を、ぞれぞれの合わせ面部分が一平面上に位置する状態で、かつ一つの部材の別々の箇所に切断予定箇所を挟んだ両側に振り分けて成型加工することによって中間製造物を製造し、その中間製造物を各分割単位体となる部分の境界となる前記切断予定箇所で切断することにより一対の分割単位体を構成することができる。
したがって、その中間製造物を成形加工するための金型は単一のものでよく、一対の分割単位体を単一の金型を用いて一挙に製造することができる。
これによって、各分割単位体毎に別々の金型を用意して別工程で製造する場合に比べて、部品点数の削減や加工工数の削減を図り得る効果がある。
【００１１】
また、各分割単位体を構成するために用いる金型は単一のものであり、成形された中間製造物を２分割して個々の分割単位体を構成するものである。しかし、その際、２分割する箇所とは異なる部位の端縁に合わせ面を形成するように構成してあり、これらの合わせ面は単一の金型で形成するため正確に平面性が確保される等、その後の組立作業を精度良く行うことができる。
【００１２】
〔解決手段３〕
上記課題を解決するために講じた本発明の他の技術手段は、下向きに開放された吐出口を有した箱状の吐出口構成部材における分割単位体の合わせ面が、上下方向に沿って吐出口を分断する箇所に形成されるように、中間製造物の切断予定箇所を吐出口形成箇所と交差する方向に形成してあることを特徴とする。
【００１３】
〔解決手段３にかかる発明の作用及び効果〕
上記解決手段３で示した本発明の構成によると、吐出口構成部材を構成する分割単位体の合わせ面は、上下方向に沿って吐出口を分断する箇所に形成されるように、中間製造物の切断予定箇所が吐出口形成箇所と交差する方向に形成されている。
つまり、一般的に吐出口構成部材は、下向きに開放された吐出口を備えて上下に長い箱形形状に形成してあるので、分割単位体の合わせ面が、穀粒搬送用筒体の長手方向に沿う方向で、かつ上下方向に沿って吐出口を分断する箇所に形成されると、個々の分割単位体の成形加工を行い易くなる。
つまり、例えば前記合わせ面が吐出口に平行な水平面に沿って形成された場合には、その合わせ面よりも下側の分割単位体は筒状になり、上側の分割単位体は天井側が閉じられた箱状になり、単純なプレス加工などで成形することは困難であるが、本発明のように合わせ面を構成すれば、合わせ面の左右両側に半割箱状の分割単位体が構成されるので、成形時における板金の絞り箇所などがあまり深くなるようなこともなく、プレス加工などで簡単に成形加工し易いという利点がある。
【００１４】
〔解決手段４〕
上記課題を解決するために講じた本発明の他の技術手段は、各分割単位体の合わせ面には、その合わせ面同士の遠近方向で重複する嵌合部を、中間製造物の切断予定箇所の両側に振り分けて形成してあることを特徴とする。
【００１５】
〔解決手段４にかかる発明の作用及び効果〕
上記解決手段４で示した本発明の構成によると、各分割単位体の合わせ面には、その合わせ面同士の遠近方向で重複する嵌合部を形成することができるので、合わせ面箇所での各分割単位体同士の組み付け作業を、各分割単位体同士の嵌合操作で簡単に行うことができる。
その上、嵌合部を備えた構造であることにより、単なる突き合わせ構造に比べて、合わせ面箇所での連結強度を向上させたり、連結箇所の密着度合を高めたりすることができる利点がある。
【図面の簡単な説明】
【００１６】
【図１】コンバインの全体側面図である。
【図２】穀粒搬出装置の横送り筒の筒軸線方向に沿う方向での吐出口構成部材の上下方向断面図である。
【図３】図２におけるIII-III線断面図である。
【図４】図２におけるIV-IV線断面図である。
【図５】吐出口構成部材を示す斜視図である。
【図６】吐出口構成部材を示す分解斜視図である。
【図７】中間製造物を示す斜視図である。
【図８】中間製造物の別実施形態を示す斜視図である。
【図９】中間製造物の別実施形態を示す斜視図である。
【図１０】別実施形態における吐出口構成部材と中間製造物とを示し、（ａ）は吐出口構成部材を示す斜視図、（ｂ）は（ａ）におけるｂ−ｂ線での断面を合わせ面とする場合の中間製造物の斜視図、（ｃ）は（ａ）におけるｃ−ｃ線での断面を合わせ面とする場合の中間製造物の斜視図である。
【発明を実施するための形態】
【００１７】
以下、本発明の実施の形態の一例を図面の記載に基づいて説明する。
〔コンバインの全体構成〕
まず、本発明における穀粒搬出装置の吐出口構成部材を適用したコンバインの全体構成について説明する。
図１には自脱形コンバインの全体側面が示されている。このコンバインは、機体フレーム１の下部に左右一対のクローラ式走行装置１０を装備し、機体フレーム１の前方及び左前部には昇降揺動可能に連結した刈取前処理装置１１が設けられている。
前記刈取前処理装置１１で刈り取られた穀稈は機体フレーム１の左後部に設けられた脱穀装置１２で脱穀処理され、脱穀された穀粒が穀粒タンク１３に回収され、脱穀処理後の排ワラは後方の排ワラ処理装置１４に受け渡されるように構成されている。
【００１８】
前記機体フレーム１の右前部には、前記クローラ走行装置１０、及び各種作業装置に対する動力源となるエンジン１５を配設してある。そのエンジン１５の上方側に位置する状態で運転座席１６が配置され、その運転座席１６の前方側、及び左側方に操縦搭１７を備えた搭乗運転部１８が配設されている。
前記穀粒タンク１３には、その穀粒タンク１３内に貯留された穀粒をタンク外へ送り出すための穀粒送出用スクリュー１３ａが底部に設けてあり、この穀粒送出用スクリュー１３ａから送り出される穀粒が後述する穀粒搬出装置２に引き継がれて、機外へ排出されるように構成されている。
【００１９】
前記穀粒タンク１３の横側面１３Ａには、その横側面１３Ａの略全幅に亘る振動発電板７を設置してある。
この振動発電板７は、コンバインの走行作業中における、機体の走行に伴って発生する機体振動や、エンジン１５及び前記脱穀装置１２や穀粒搬出装置２などの各種作業装置の動作に伴う振動、ならびにエンジン１５及び前記各種作業装置から発生する騒音振動を電気エネルギーに変換するように構成された周知のものであり、この振動発電板７で発電された電気エネルギーはバッテリ（図外）に蓄電されるように構成してある。
【００２０】
このように、振動発電板７によって発電された電力もバッテリに供給してコンバインの各種作業に利用できるようにすることによって、図示しないが前記エンジン１５とともに原動部に内蔵されているオルタネータとして、前記振動発電板７で補充される電力に相当する程度の発電性能を低減させた仕様のものを採用することも可能である。したがって、オルタネータを駆動するための負荷を低減して燃料の節減を図ることができる。
また、前記振動発電板７を設置する箇所としては、上記のような穀粒タンク１３の横側面１３Ａに限らず、例えば、脱穀装置１２の天板上であったり、脱穀装置１２の横側面であったり、運転キャビンを備えるものであれば、運転キャビンの天井面などの適所を選択することができる。
【００２１】
〔穀粒搬出装置の構成〕
穀粒搬出装置２は、穀粒タンク１３側から供給される穀粒を受け取って上方側へ搬送する縦送り搬送部３と、その縦送り搬送部３の終端側に接続されて、縦送り搬送部３から供給された穀粒を横送り搬送して、終端の吐出口４５から外部へ排出する横送り搬送部４（穀粒搬送部に相当する。）とから構成されている。図１は、穀粒搬出装置２の縦送り搬送部３が、その旋回作動範囲内に格納位置として予め設定された位置にある状態、つまり、横送り搬送部４が機体上の受け台１９に載置された格納状態を示している。
【００２２】
前記縦送り搬送部３は、内部に穀粒を揚上搬送するための通路を有した縦送り筒３０と、その縦送り筒３０内に装備された穀粒搬送用の縦送りスクリュー３１とを備えて構成され、前記横送り搬送部４は、内部に穀粒を横送り搬送するための通路を有した横送り筒４０（穀粒搬送用筒体に相当する。）と、その横送り筒４０内に装備された穀粒搬送用の横送りスクリュー４１（搬送用スクリューに相当する。）とを備えて構成されている。
【００２３】
縦送り筒３０の上端側に連設される横送り筒４０は、前記縦送り筒３０の上端側と、前記横送り筒４０の横側部に一体に取り付けてある支持体４２との間にわたって設けた油圧シリンダ４３（起伏揺動操作用のアクチュエータの一例）によって、前記縦送り筒３０の上端側における水平方向の横軸心ｘ周りで起伏揺動自在に構成されている。
【００２４】
縦送り筒３０の外周部には環状の従動ギヤ３３が一体に形成してあり、機体フレーム１側の固定位置に支持された旋回用電動モータ２０側の駆動ギヤ２０ａと噛合して駆動されることによって、前記縦送り筒３０、及びその縦送り筒３０の上端側に設けられた横送り筒４０を縦送り筒３０内の縦送りスクリュー３１の回動中心である縦軸心ｙ周りで旋回作動可能に構成してある。
この縦送り筒３０の前記縦軸心ｙ周りでの旋回作動位置は、前記従動ギヤ３３の回転角度を検出する旋回用ポテンショメータ３４によって検出されるように構成してある。
【００２５】
上記穀粒搬出装置２に対しては、穀粒タンク１３の底部に備えられた穀粒送出用スクリュー１３ａを介してエンジン１５の動力が伝達されるように構成してある。
すなわち、穀粒送出用スクリュー１３ａの穀粒搬送方向での下流側の端部から、ベベルギヤなどの適宜伝動機構を介して縦送りスクリュー３１に対して駆動力が伝達され、その駆動力が縦送りスクリュー３１の搬送終端側である上端部から横送りスクリュー４１にも伝達されて、穀粒タンク１３内部の穀粒が横送り搬送部４の搬送終端側の吐出口４５から吐出されるように構成してある。
【００２６】
前記横送り筒４０の搬送終端側に設けられる吐出口４５には、その吐出口４５を開閉するためのシャッタ４６を設けてあるとともに、そのシャッタ４６を水平方向軸芯周りに回動させて吐出口４５を開閉操作するためのシャッタ駆動装置４４、及び満杯検出器４７、ならびに吐出口４５の周辺を照らす照明器具４８を設けてある。
尚、図中に示す符号４９は吐出口４５の周辺から下方へ垂設した飛散防止カバーで、屈曲変形自在な透明の軟質合成樹脂材により構成してある。
【００２７】
〔吐出口構成部材〕
前記吐出口４５は、円筒状の横送り筒４０の搬送終端側に連設された箱状の吐出口構成部材５の下端側が開放されることによって形成してあり、この箱状の吐出口構成部材５の外周壁部に前記シャッタ駆動装置４４、及び満杯検出器４７、ならびに吐出口４５の周辺を照らす照明器具４８が配設されている。
【００２８】
前記吐出口構成部材５は、板金製材料をプレス加工して形成されるものであり、図２乃至図６に示すように、左右一対の分割単位体５Ａ，５Ｂを、その分割単位体５Ａ，５Ｂ同士の相対向する位置の端縁部分を合わせ面５Ｃとして接合した状態に組み合わせて構成される箱状のケース本体５０と、そのケース本体５０の前端側の膨出空間部５１と後方側の籾流路部５２とを仕切る仕切部材５３と、前記籾流路部５２の後方側で横送り筒４０の搬送終端側が挿通される開口５Ｄの下側に位置する後壁部材５４とを備えて構成されている。
吐出口構成部材５の材質としては、板金製材料に限らず、例えば合成樹脂製材料等であってもよい。
【００２９】
前記ケース本体５０を構成する左右一対の分割単位体５Ａ，５Ｂは、夫々が図２乃至図６に示すように、前記横送り搬送部４の横送り筒４０の外周面に沿う円弧状に湾曲した上側湾曲面５０ａと、その上側湾曲面５０ａに引き続いて鉛直下方に垂下した横側面５０ｂとを横側方に備えている。
そして、前方側には、前記上側湾曲面５０ａ及び横側面５０ｂに直交するように前方側に向く前向き面５０ｃと、その前向き面５０ｃから引き続いて斜め前方下方に膨出する前下がり面５０ｄと、その前下がり面５０ｄの前端側で下向きに垂れ下がる膨出前向き面５０ｅと、前記前向き面５０ｃよりも前方側で前記前下がり面５０ｄと膨出前向き面５０ｅとの横側方に形成される膨出横側面５０ｆとを備えている。
【００３０】
この膨出横側面５０ｆは、図４乃至図６に示すように、前方側ほど分割単位体５Ａ，５Ｂの合わせ面５Ｃに近付くように先細りの傾斜面になっているが、その一部に前記合わせ面５Ｃと平行になる凹入壁面５０ｇを形成してある。この凹入壁面５０ｇは、前記膨出横側面５０ｆに対して少し凹入した位置に形成され、左右の分割単位体５Ａ，５Ｂの夫々に形成される凹入壁面５０ｇ同士が互いに平行となるように形成されることにより、前記膨出空間部５１に内装される照明器具４８等の取付けが行い易くなるように工夫されている。また、その照明器具４８等の取付けに用いた連結具の一部が凹入壁面５０ｇの外部に露出しても、膨出横側面５０ｆよりも外方へ突出しないように考慮されている。
【００３１】
前記左右一対の分割単位体５Ａ，５Ｂのうち、左側の分割単位体５Ａには、右側の分割単位体５Ｂとの合わせ面５Ｃに相当する箇所、すなわち、前記上側湾曲面５０ａ、前向き面５０ｃ、前下がり面５０ｄ、及び膨出前向き面５０ｅの、右側端縁近くに、右側の分割単位体５Ｂとの合わせ面５Ｃの外側に外嵌する状態となるように、少し外側へ膨出させた嵌合縁部５０ｈを形成してある。
したがって、左右一対の分割単位体５Ａ，５Ｂを合わせ面５Ｃで対向させると、図３乃至図５に示されるように、前記嵌合縁部５０ｈで左右の分割単位体５Ａ，５Ｂが嵌合された状態となり、この嵌合状態で左右の分割単位体５Ａ，５Ｂ同士を溶接して接続するように構成してある。
このとき、前記左右の分割単位体５Ａ，５Ｂが嵌合された状態となっているので、単なる突き合わせ状態で接合する場合に比べて、合わせ面５Ｃの全長にわたってシーム溶接を行わなくとも、適宜間隔でスポット溶接を行うだけで左右の分割単位体５Ａ，５Ｂ同士を、強固に、かつ密に接合することができる。
【００３２】
前記ケース本体５０に対して、図２、図４、及び図６に示す仕切り板５３、及び図２乃至図６に示す後壁部材５４が接続されている。
前記仕切部材５３は、その上方位置で左右の分割単位体５Ａ，５Ｂの前向き面５０ｃと接触し、仕切部材５３の円弧状の上縁部５３ａが前記前向き面５０ｃの内面側に溶接され、仕切部材５３の横側縁５３ｂが左右の分割単位体５Ａ，５Ｂの各横側面５０ｂの内面側に対して溶接して固定される。
【００３３】
前記後壁部材５４は、上端側に円弧状の凹入縁５４ａを備え、左右の分割単位体５Ａ，５Ｂの各上側湾曲面５０ａとともに、吐出口構成部材５の後面側に、前記籾流路部５２の後方側で横送り筒４０の搬送終端側が挿通される開口５Ｄを形成している。
この後壁部材５４は、左右両端側に折り返し片５４ｂを一体に備えていて、この左右の折り返し片５４ｂ，５４ｂを、左右の分割単位体５Ａ，５Ｂの各横側面５０ｂ，５０ｂに溶接して固定してある。
このようにして全体が箱状に形成された吐出口構成部材５は、穀粒搬出装置２の横送り筒４０の搬送終端側に対して前記開口５Ｄを外嵌させて装着し、横送りスクリュー４１で送り込まれる穀粒が籾流路部５２を通って吐出口４５から下方へ排出されるように構成してある。
上記の吐出口構成部材５を構成する分割単位体５Ａ，５Ｂの夫々は、図６に示すように、前記合わせ面５Ｃを境にして面対称となる端縁部分５Ｅ，５Ｅを、夫々の分割単位体５Ａ，５Ｂの後端縁側に備えたものである。
【００３４】
〔吐出口構成部材の製造方法〕
上記の吐出口構成部材５の製造方法について説明する。
すなわち、まず、ケース本体５０を構成するに適した大きさの一枚の金属板を、所定の金型（図外）でプレス加工して、図７に示すように中間製造物６を作製する。
この中間製造物６は、吐出口構成部材５を、穀粒搬出装置２の横送り筒４０の筒軸線方向に沿う方向で上下方向に分断した場合に左右に分離される左側の分割単位体５Ａと右側の分割単位体５Ｂとが、夫々の後端縁側の端縁部分５Ｅ，５Ｅで一体化されているものであり、この後端縁となる端縁部分５Ｅ，５Ｅが存在する箇所に、切断予定箇所である切断線６ａを設定したものである。
つまり、この中間製造物６は、図中に点線で示す切断線６ａ部分を境にして、切断後に左右の分割単位体５Ａ，５Ｂとなる予定の部分を、左右夫々の箇所に振り分けた一体部品としてプレス加工することによって成形加工される。
そして、各分割単位体５Ａ，５Ｂとなる予定の部分が一体のままで成形加工を完了した後に、前記切断線６ａ部分での切断処理をおこなって、左右の分割単位体５Ａ，５Ｂを構成するようにしたものである。
このようにして構成された各分割単位体５Ａ，５Ｂは、前記合わせ面５Ｃを境にして面対称となる端縁部分５Ｅ，５Ｅを、夫々の分割単位体５Ａ，５Ｂの後端縁側に備えたものとなる。
【００３５】
前記中間製造物６には、前記切断線６ａ部分を境に、図中左側に左側の分割単位体５Ａに相当する部分が、かつ右側に右側の分割単位体５Ｂに相当する部分がプレス成形されている。つまり、前記上側湾曲面５０ａ、横側面５０ｂ、前向き面５０ｃ、前下がり面５０ｄ、膨出前向き面５０ｅ、膨出横側面５０ｆ、及び凹入壁面５０ｇが前記切断線６ａ部分を境にした左右両側の分割単位体５Ａ，５Ｂに形成されている。
そして、左右の分割単位体５Ａ，５Ｂのうちの左側の分割単位体５Ａに相当する部分の下縁側に、合わせ面５Ｃで嵌合構造を構成するための嵌合縁部５０ｈを形成してある。
【００３６】
したがって、この中間製造物６が前記切断線６ａ部分で切断されることにより、左右の分割単位体５Ａ，５Ｂが構成され、この左右の分割単位体５Ａ，５Ｂを図中の矢印で示すように回動させて合わせ面５Ｃ同士を接合させることによりケース本体５０が構成される。
そして、そのケース本体５０の前向き面５０ｃに対して、図２及び図６等に示す仕切部材５３を溶接接続し、また、ケース本体５０の後部側に、図２及び図６等に示す後壁部材５４を位置させて左右両端側の折り返し片５４ｂを左右の横側面５０ｂ，５０ｂに溶接して吐出口構成部材５を構成する。
【００３７】
このように、前記中間製造物６は、左右一対の分割単位体５Ａ，５Ｂを構成するための部分を、予め一つの部材としてプレス成形することによって形成されたものであり、かつ、吐出口構成部材５の合わせ面５Ｃを構成する部分とは異なる箇所で左右の分割単位体５Ａ，５Ｂとなる部分が一体に連なっていて、その合わせ面５Ｃを構成する部分とは異なる箇所を切断箇所とすることによって、左右の分割単位体５Ａ，５Ｂの合わせ面５Ｃの箇所を左右各別の構造を備えたものに構成することができる。
【００３８】
〔別実施形態の１〕
図８は、吐出口構成部材５を構成するための別の中間製造物６の例を示す。
この中間製造物６は、前記図７に示す実施形態で用いた左右一対の分割単位体５Ａ，５Ｂと同一形状の分割単位体５Ａ，５Ｂを構成するものである。しかしながらこの構造では、分割後に分割単位体５Ａ，５Ｂとなる部分同士の中間製造物６を構成する段階での接続位置が、前述した実施形態のように吐出口構成部材５の後端縁側ではなく、吐出口４５の下縁側である。
このため、切断線６ａが、吐出口構成部材５の組み上げ後に吐出口４５の下縁となる部分に相当する箇所に形成されている。
このようにして構成された各分割単位体５Ａ，５Ｂは、前記合わせ面５Ｃを境にして面対称となる端縁部分５Ｅ，５Ｅを、夫々の分割単位体５Ａ，５Ｂの下縁側に備えたものとなる。
【００３９】
したがって、この中間製造物６を前記切断線６ａ部分で切断することにより、左右の分割単位体５Ａ，５Ｂが構成され、この左右の分割単位体５Ａ，５Ｂを図中の矢印で示すように回動させて合わせ面５Ｃ同士を接合させることによりケース本体５０が構成される。  その他、仕切部材５３や後壁部材５４の取り付け方などの他の構成は、上述した図７に示す構造のものと同様である。
【００４０】
〔別実施形態の２〕
図９は、中間製造物６として、上記の実施形態で示した構造のものとは異なり、図２に示すIII-III線方向での断面箇所を合わせ面５Ｃとした場合のものを例示している。
この構造では、合わせ面５Ｃが穀粒搬出装置２の横送り筒４０の軸芯方向に対して直交する方向となるため、横送り筒４０の左右方向ではなく前後方向で分割された分割単位体５Ａ，５Ｂとなる部分を備えている。
【００４１】
この一対の分割単位体５Ａ，５Ｂのうち、前側の分割単位体５Ａに、前記上側湾曲面５０ａの前部、及び横側面５０ｂの前部、前向き面５０ｃ、前下がり面５０ｄ、膨出前向き面５０ｅ、膨出横側面５０ｆ、及び凹入壁面５０ｇが形成され、かつ、この前側の分割単位体５Ａの下縁側に、合わせ面５Ｃで嵌合構造を構成するための嵌合縁部５０ｈを形成してある。
そして、一対の分割単位体５Ａ，５Ｂのうち、後側の分割単位体５Ｂに、前記上側湾曲面５０ａの後部、及び横側面５０ｂの後部、ならびに開口５Ｄの下部に位置する後壁部材５４が一体に形成されている。
【００４２】
この中間製造物６では、前側の分割単位体５Ａと後側の分割単位体５Ｂとの接続箇所が、図中に点線で示す２本の切断線６ａ、６ｂの箇所で切断することにより、前後の分割単位体５Ａ，５Ｂが構成され、この前後の分割単位体５Ａ，５Ｂを図中の矢印で示すように回動させて合わせ面５Ｃ同士を接合させることによりケース本体５０が構成される。
そして、この構造では、前記後壁部材５４もケース本体５０に一体に形成されているので、後は、そのケース本体５０の前向き面５０ｃに対して、図７に示す仕切部材５３を溶接接続して吐出口構成部材５を構成する。
このようにして構成された各分割単位体５Ａ，５Ｂは、前記合わせ面５Ｃを境にして面対称となる端縁部分５Ｅ，５Ｅを、夫々の分割単位体５Ａ，５Ｂの下縁側に備えたものとなる。
【００４３】
〔別実施形態の３〕
吐出口構成部材５としては、上述の実施の形態に示したような箱形形状のものに限らず任意の形状を採用することができる。
例えば、図１０（ａ）に示すような略円筒形状の吐出口構成部材５を構成する場合に、図中での水平方向断面ｂ−ｂを合わせ面５Ｃとするように中間製造物６を構成する場合には、同図（ｂ）に示すように、上部側の分割単位体５Ａと下部側の分割単位体５Ｂとが一体物となるように中間製造物６を構成し、切断線６ａで切断し、下方側へ回動させて合わせ面５Ｃ同士を接合させることによりケース本体５０を構成することができる。
このようにして構成された各分割単位体５Ａ，５Ｂは、前記合わせ面５Ｃを境にして面対称となる端縁部分５Ｅ，５Ｅを、夫々の分割単位体５Ａ，５Ｂの後端縁側に備えたものとなる。
【００４４】
また、図１０（ａ）に示す略円筒形状の吐出口構成部材５において、前後方向に沿う上下方向での断面ｃ−ｃを合わせ面５Ｃとするように中間製造物６を構成する場合には、同図（ｃ）に示すように、右側の分割単位体５Ｂと左側の分割単位体５Ａとが一体物となるように中間製造物６を構成し、切断線６ａで切断し、下方側へ回動させて合わせ面５Ｃ同士を接合させることによりケース本体５０を構成すればよい。
このようにして構成された各分割単位体５Ａ，５Ｂは、前記合わせ面５Ｃを境にして面対称となる端縁部分５Ｅ，５Ｅを、夫々の分割単位体５Ａ，５Ｂの後端縁側に備えたものとなる。
【００４５】
〔別実施形態の４〕
吐出口構成部材５としては、実施の形態に示したように、左右一対の分割単位体５Ａ，５Ｂを組み合わせて構成される箱状のケース本体５０と、そのケース本体５０の前端側の膨出部５１と後方側の籾流路部５２とを仕切る仕切部材５３と、前記籾流路部５２の後方側で横送り筒４０の搬送終端側に連設される後壁部材５４とを備えたものに限らず、左右一対の分割単位体５Ａ，５Ｂのみで構成されたものであってもよい。
この場合、前記後壁部材に相当する部分５４を左右一対の分割単位体５Ａ，５Ｂに振り分けた状態で一体に形成するようにしてもよい。
【００４６】
〔別実施形態の５〕
一対の分割単位体５Ａ，５Ｂ同士を接続する合わせ面５Ｃでの接続は、実施の形態に示したような溶接による接続に限らず、ボルト連結などの着脱可能な構造を採用してもよい。
【００４７】
〔別実施形態の６〕
一対の分割単位体５Ａ，５Ｂ同士を接続する合わせ面５Ｃでの接続は、実施の形態に示したような嵌合構造に限らず、図示しないが合わせ面に形成したフランジ面同士を対向させて接続する構造であってもよい。
【００４８】
〔別実施形態の７〕
中間製造物６としては、実施の形態で示したように、各分割単位体５Ａ，５Ｂとなる部分が一体のままで成形加工を完了し、その後に前記切断線６ａ部分で切断して左右の分割単位体５Ａ，５Ｂを構成するようにしたものに限らず、各分割単位体５Ａ，５Ｂとなる部分の成形加工完了と同時的に前記切断線６ａ部分で切断して、各分割単位体５Ａ，５Ｂとなる部分の成形加工の完了とともに切断作業も完了するようにしたものであってもよい。
【００４９】
〔別実施形態の８〕
本発明を吐出口構成部材５の形状や構造として捉える場合には、左右一対の分割単位体５Ａ，５Ｂを予め一つの部材としてプレス成形することによって形成したものに限らず、左右一対の分割単位体５Ａ，５Ｂを別々の部材としてプレス成形したものであってもよい。
【産業上の利用可能性】
【００５０】
本発明は、コンバインの穀粒搬出装置に適用する場合において、そのコンバインとしては、自脱型に限らず、全稈投入型のものであってもよく、コンバイン以外の穀粒搬出装置、例えば、定置型の脱穀装置や脱穀施設に装備した穀粒搬出装置や、穀粒運搬用車両に装備させた穀粒搬出装置にも適用可能である。
【符号の説明】
【００５１】
２            穀粒搬出装置
４            穀粒搬送部（横送り搬送部）
５            吐出口構成部材
５Ａ，５Ｂ    分割単位体
５Ｃ          合わせ面
５Ｅ          端縁部分
６            中間製造物
６ａ          切断予定箇所（切断線）
４０          穀粒搬送用筒体
４５          吐出口
【図１】
0005635843.tif 000002
【図２】
0005635843.tif 000003
【図３】
0005635843.tif 000004
【図４】
0005635843.tif 000005
【図５】
0005635843.tif 000006
【図６】
0005635843.tif 000007
【図７】
0005635843.tif 000008
【図８】
0005635843.tif 000009
【図９】
0005635843.tif 000010
【図１０】
0005635843.tif 000011